(57)【要約】【課題】プラテンローラとサイドセンサが設けられたローラーホルダがテープカセットに圧着された際に、サイドセンサによってテープカセットの種類が検出可能となるテープ印刷装置において、プラテンローラの変形を低減させること。【解決手段】サーマルヘッドで印刷を行う場合（Ｓ１６の３）には、カセット検出処理（Ｓ１３、Ｓ１５）が行われる。このカセット検出処理（Ｓ１３、Ｓ１５）では、カセット装着部に装着されたテープカセットに対してローラーホルダを圧着させた状態にし、そのテープカセットの種類をサイドセンサによって検出した後で、カセット装着部に装着されたテープカセットに対してローラーホルダをリリースさせた状態にして、印刷待機状態にしており、ローラーホルダに設けられたプラテンローラがサーマルヘッドに対してずっと圧接されることはないので、プラテンローラの変形を低減させることができる。【選択図】図１
2012196781.tif 000002
【特許請求の範囲】
【請求項１】
テープカセットが装着されるカセット装着部と、前記カセット装着部内に立設されたサーマルヘッドと、前記カセット装着部内に回動自在に設けられたローラーホルダと、前記ローラーホルダ内に設けられたプラテンローラと、前記ローラーホルダ内に設けられたサイドセンサと、を有し、前記カセット装着部内に装着されたテープカセットに対して前記ローラーホルダの正転動作により前記ローラーホルダを圧着させた状態になると、当該テープカセットのテープを介し前記サーマルヘッドに対して前記プラテンローラが圧接するとともに当該テープカセットの種類を前記サイドセンサによって検出可能となり、前記カセット装着部内に装着されたテープカセット対して前記ローラーホルダの逆転動作により前記ローラーホルダをリリースさせた状態になるテープ印刷装置において、
前記ローラーホルダの回動動作を制御する制御装置を備え、
前記制御装置は、前記サーマルヘッドで印刷を行う場合には、前記ローラーホルダの正転動作を行うことにより、前記カセット装着部内に装着されたテープカセットに対して前記ローラーホルダを圧着させた状態にし、当該テープカセットの種類を前記サイドセンサによって検出した後で、前記ローラーホルダの逆転動作を行うことにより、前記カセット装着部内に装着されたテープカセットに対して前記ローラーホルダをリリースさせた状態にすること、を特徴とするテープ印刷装置。
【請求項２】
請求項１に記載するテープ印刷装置であって、
前記制御装置は、前記サーマルヘッドで印刷を行う場合以外でも、前記ローラーホルダの正転動作を行うことにより、前記カセット装着部内に装着されたテープカセットに対して前記ローラーホルダを圧着させた状態にし、当該テープカセットの種類を前記サイドセンサによって検出した後で、前記ローラーホルダの逆転動作を行うことにより、前記カセット装着部内に装着されたテープカセットに対して前記ローラーホルダをリリースさせた状態にすること、を特徴とするテープ印刷装置。
【請求項３】
請求項１又は請求項２に記載するテープ印刷装置であって、
前記カセット装着部を現し又は覆うための開閉自在なカバーと、
前記カバーの開閉状態を検知するカバーセンサと、を備え、
前記制御装置は、前記サーマルヘッドで印刷を行う場合以外でも、前記カバーセンサで前記カバーが閉状態に移行したことを検知したとき、又は、当該テープ印刷装置の電源がＯＮされたときに、前記ローラーホルダの正転動作を行うことにより、前記カセット装着部内に装着されたテープカセットに対して前記ローラーホルダを圧着させた状態にし、当該テープカセットの種類を前記サイドセンサによって検出した後で、前記ローラーホルダの逆転動作を行うことにより、前記カセット装着部内に装着されたテープカセットに対して前記ローラーホルダをリリースさせた状態にすること、を特徴とするテープ印刷装置。
【発明の詳細な説明】
【技術分野】
【０００１】
本発明は、プラテンローラとサイドセンサが設けられたローラーホルダがテープカセットに圧着された際に、サイドセンサによってテープカセットの種類が検出可能となるテープ印刷装置に関するものである。
【背景技術】
【０００２】
従来の印刷装置には、ローラーホルダがテープカセットに圧着された際に、ローラーホルダに設けられたサイドセンサによってテープカセットの種類が検出可能となるものがある（下記特許文献１参照）。
【先行技術文献】
【特許文献】
【０００３】
【特許文献１】特開２０１０−２８４８４８号公報
【発明の概要】
【発明が解決しようとする課題】
【０００４】
しかしながら、ローラーホルダがテープカセットに圧着された時間が長時間に及ぶと、そのローラーホルダに設けられたプラテンローラがテープカセットのテープを介しサーマルヘッドに対して圧接される時間も長くなる。また、その圧着の回数が多くなってくると、その圧接の回数も多くなる。そのため、そのローラーホルダに設けられたプラテンローラの一部が変形することがあった。このようにして、プラテンローラの一部が変形してしまうと、テープ送りの精度が低下することになる。
【０００５】
そこで、本発明は、上述した点を鑑みてなされたものであり、プラテンローラとサイドセンサが設けられたローラーホルダがテープカセットに圧着された際に、サイドセンサによってテープカセットの種類が検出可能となるテープ印刷装置において、プラテンローラの変形を低減させることを課題とする。
【課題を解決するための手段】
【０００６】
この課題を解決するためになされた発明は、テープカセットが装着されるカセット装着部と、前記カセット装着部内に立設されたサーマルヘッドと、前記カセット装着部内に回動自在に設けられたローラーホルダと、前記ローラーホルダ内に設けられたプラテンローラと、前記ローラーホルダ内に設けられたサイドセンサと、を有し、前記カセット装着部内に装着されたテープカセットに対して前記ローラーホルダの正転動作により前記ローラーホルダを圧着させた状態になると、当該テープカセットのテープを介し前記サーマルヘッドに対して前記プラテンローラが圧接するとともに当該テープカセットの種類を前記サイドセンサによって検出可能となり、前記カセット装着部内に装着されたテープカセット対して前記ローラーホルダの逆転動作により前記ローラーホルダをリリースさせた状態になるテープ印刷装置において、前記ローラーホルダの回動動作を制御する制御装置を備え、前記制御装置は、前記サーマルヘッドで印刷を行う場合には、前記ローラーホルダの正転動作を行うことにより、前記カセット装着部内に装着されたテープカセットに対して前記ローラーホルダを圧着させた状態にし、当該テープカセットの種類を前記サイドセンサによって検出した後で、前記ローラーホルダの逆転動作を行うことにより、前記カセット装着部内に装着されたテープカセットに対して前記ローラーホルダをリリースさせた状態にすること、を特徴とする。
【発明の効果】
【０００７】
すなわち、本発明のテープ印刷装置では、プラテンローラとサイドセンサが設けられたローラーホルダがテープカセットに圧着された際に、サイドセンサによってテープカセットの種類が検出可能となるテープ印刷装置であるが、サーマルヘッドで印刷を行う際は、カセット装着部内に装着されたテープカセットに対してローラーホルダを圧着させた状態にし、そのテープカセットの種類をサイドセンサによって検出した後で、カセット装着部内に装着されたテープカセットに対してローラーホルダをリリースさせた状態にして、印刷待機状態にしており、ローラーホルダに設けられたプラテンローラがサーマルヘッドに対してずっと圧接されることはないので、プラテンローラの変形を低減させることができる。
【図面の簡単な説明】
【０００８】
【図１】本発明の一実施形態に係るテープ印刷装置の第１メインプログラムが表されたフローチャート図である。
【図２】電源ＯＮ時処理のプログラムが表されたフローチャート図である。
【図３】カセット検出処理のプログラムが表されたフローチャート図である。
【図４】カセット情報取得処理のプログラムが表されたフローチャート図である。
【図５】同テープ印刷装置の第２メインプログラムが表されたフローチャート図である。
【図６】同テープ印刷装置の第３メインプログラムが表されたフローチャート図である。
【図７】カバーが開放された状態における同テープ印刷装置の斜視図である。
【図８】同テープ印刷装置に装着されるテープカセットの斜視図である。
【図９】同テープ印刷装置のローラーホルダを斜め後方から表した斜視図である。
【図１０】同テープ印刷装置のブロック図である。
【発明を実施するための形態】
【０００９】
［１．本発明の構成］
以下、本発明の一実施形態を図面を用いて説明する。図７に表されたように、本実施形態に係るテープ印刷装置１は、本体筐体２とカバー３を有する。カバー３は、本体筐体２に対して回動自在に設けられている。また、本体筐体２には、キーボード４や、液晶ディスプレイ５、カセット装着部６、サーマルヘッド７、板部８等を有する。
【００１０】
カセット装着部６には、サーマルヘッド７が立設され、板部８が設けられている。板部８は、後述するローラーホルダを覆うものである。カセット装着部６は、カバー３の開閉動作によって、現れ又は、カバー３で覆われる。さらに、カセット装着部６には、図８に表されたテープカセット１１が装着される。
【００１１】
図８に表されたように、テープカセット１１は、カセットケース１２の突出部位であるアーム部１３を有している。アーム部１３の前面には、カセット識別部１４が設けられている。カセット識別部１４は、アーム部１３の前面に形成された孔の配置によって、当該テープカセット１１の種類を示すものである。
【００１２】
アーム部１３の先端からは印刷テープ１５が排出される。アーム部１３の背面側と印刷テープ１５の背面側には、ヘッド挿入部１６が形成される。ヘッド挿入部１６には、当該テープカセット１１がカセット装着部６（上記図７参照）に装着された際に、サーマルヘッド７（上記図７参照）が挿入される。
【００１３】
さらに、当該テープカセット１１がカセット装着部６（上記図７参照）に装着された際には、アーム部１３の前面や印刷テープ１５に対して、図９に表されたローラーホルダ３１が圧着される。
【００１４】
図９に表されたように、ローラーホルダ３１は、可動搬送ローラ３２や、プラテンローラ３３、サイドセンサ３４等を有する。さらに、ローラーホルダ３１には、軸支部３５を有する。軸支部３５が直接的にあるいは間接的に後述するローラーホルダ用モーターの回転を受けて、ローラーホルダ３１は、カセット装着部６（上記図７参照）に回動自在に設けられ、正転動作したり、逆転動作したりすることが可能とされる。
【００１５】
つまり、軸支部３５等によってローラーホルダ３１が正転動作すると、カセット装着部６（上記図７参照）にテープカセット１１（上記図８参照）が装着されていれば、テープカセット１１（上記図８参照）のアーム部１３の前面や印刷テープ１５に対して、ローラーホルダ３１が圧着される。このとき、ローラーホルダ３１のプラテンローラ３３は、テープカセット１１（上記図８参照）の印刷テープ１５を介して、サーマルヘッド７（上記図７参照）に圧接される。同時に、ローラーホルダ３１のサイドセンサ３４は、テープカセット１１（上記図８参照）のカセット識別部１４に圧接され、当該テープカセット１１（上記図８参照）の種類を検出することが可能とされる。
【００１６】
その後、軸支部３５等によってローラーホルダ３１が逆転動作すると、テープカセット１１（上記図８参照）のアーム部１３の前面や印刷テープ１５から、ローラーホルダ３１がリリースされる。このとき、ローラーホルダ３１のプラテンローラ３３は、テープカセット１１（上記図８参照）の印刷テープ１５からリリースされるので、サーマルヘッド７（上記図７参照）に圧接されなくなる。同時に、ローラーホルダ３１のサイドセンサ３４は、テープカセット１１（上記図８参照）のカセット識別部１４からリリースされるので、当該テープカセット１１（上記図８参照）の種類を検出することが不可能とされる。
【００１７】
尚、カセット装着部６（上記図７参照）にテープカセット１１（上記図８参照）が装着されていなくても、軸支部３５等によってローラーホルダ３１が正転動作することは可能であり、軸支部３５等によってローラーホルダ３１が逆転動作することも可能である。
【００１８】
図１０に表されたように、本実施形態に係るテープ印刷装置１は、制御部６０や、ヘッド駆動回路６８、切断用モーター駆動回路６９、ローラーホルダ用モーター駆動回路７０、搬送モーター駆動回路７１等を有する。制御部６０は、ＣＰＵ６１や、ＣＧ−ＲＯＭ６２、ＥＥＰＲＯＭ６３、ＲＯＭ６４、ＲＡＭ６６により構成される。さらに、制御部６０は、ヘッド駆動回路６８や、切断用モーター駆動回路６９、ローラーホルダ用モーター駆動回路７０、搬送モーター駆動回路７１に接続される。その上、制御部６０は、接続インターフェース８１、通信インターフェース８２、キーボード４、液晶ディスプレイ５、サイドセンサ３４、カラーセンサ４１、カバーセンサ４２にも接続される。
【００１９】
ＣＰＵ６１は、本実施形態に係るラベルライター１における各種制御の中枢を担う中央演算処理装置である。従って、ＣＰＵ６１は、キーボード４、接続インターフェース８１、又は通信インターフェース８２を介して入力される印刷データ、制御信号、又は各種制御プログラム等に基づいて、本実施形態に係るラベルライター１（例えば、液晶ディスプレイ５等）を制御する。
【００２０】
ＣＧ−ＲＯＭ６２は、印刷される文字や記号の画像データがコードデータと対応させてドットパターンで記憶されるキャラクタージェネレータ用メモリである。ＥＥＰＲＯＭ６３は、記憶内容の書込・消去ができる不揮発性メモリである。ＲＯＭ６４には、本実施形態に係るラベルライター１における各種制御プログラムやデータが記憶される。
【００２１】
ＲＡＭ６６は、ＣＰＵ６１での演算結果等が一時的に記憶される記憶装置である。ＲＡＭ６６には、例えば、キーボード４、接続インターフェース８１、又は通信インターフェース８２を介して入力される印刷データ等が記憶される。さらに、ＲＡＭ６６には、後述するカセット情報変数が記憶される。接続インターフェース８１は、不図示のパーソナルコンピューターを接続するためのものである。通信インターフェース８２は、不図示の周辺機器等からの通信データを受信するためのものである。
【００２２】
ヘッド駆動回路６８は、ＣＰＵ６１からの制御信号に基づいてサーマルヘッド７（上記図７参照）に駆動信号を供給し、サーマルヘッド７の駆動状態を制御する回路である。
【００２３】
切断用モーター駆動回路６９は、ＣＰＵ６１からの制御信号に基づいて切断用モーター７２に駆動信号を供給し、切断用モーター７２の駆動制御を行う回路である。切断用モーター７２が駆動されると、不図示のカッターが駆動し、印刷テープ１５（上記図８参照）をその幅方向に切断することができる。
【００２４】
ローラーホルダ用モーター駆動回路７０は、ＣＰＵ６１からの制御信号に基づいてローラーホルダ用モーター７３に駆動信号を供給し、ローラーホルダ用モーター７３の駆動制御を行う回路である。ローラーホルダ用モーター７３が駆動されると、ローラーホルダ３１（上記図９参照）の軸支部３５が直接的にあるいは間接的にその駆動を受け、ローラーホルダ３１を正転動作又は逆転動作することができる。すなわち、ローラーホルダ３１（上記図９参照）の軸支部３５は、ローラーホルダ用モーター７３に直接的にあるいは間接的に連結している。
【００２５】
搬送モーター駆動回路７１は、ＣＰＵ６１からの制御信号に基づいて搬送モーター７４に駆動信号を供給し、搬送モーター７４の駆動制御を行う制御回路である。搬送モーター７４が駆動されると、不図示の搬送機構が駆動し、印刷テープ１５（上記図８参照）を搬送することができる。
【００２６】
サイドセンサ３４は、上述したように、ローラーホルダ３１に設けられ、カセット装着部６（上記図７参照）に装着されたテープカセット１１（上記図８参照）のカセット識別部１４に圧接されることによって、当該テープカセット１１の種類を検出するものである。
【００２７】
カラーセンサ４１は、カセット装着部６（上記図７参照）に装着されたテープカセット１１（上記図８参照）に関する色情報（テープ色やインクリボン色等）を検出するものである。尚、カラーセンサ４１の検出原理には、例えば、カセット装着部６に装着中のテープカセット１１から突出する複数の突出片を検知し、検知された複数の突出片の組合せに基づいてテープカセット１１に関する色情報（テープ色やインクリボン色等）を検出するものがある。
【００２８】
カバーセンサ４２は、カバー３（上記図７参照）の開閉状態を検出するものである。尚、カバーセンサ４２の検出原理には、例えば、カバー３から突出する突出片を検知し、その検知の有無に基づいてカバー３の開閉状態を検出するものがある。
【００２９】
［２．本発明の第１動作］
次に、本実施形態に係るラベルライター１で実行される第１動作について説明する。図１のフローチャートで表された制御プログラムは、第１メインプログラムであって、ＲＯＭ６４等に記憶されるとともにＣＰＵ６１により実行される。図１に表されたように、第１メインプログラムでは、先ず、Ｓ１１において、電源ＯＮ時処理が行われる。
【００３０】
電源ＯＮ時処理では、図２に表されたように、先ず、Ｓ１０１において、カセット情報変数の初期化が行われる。具体的には、ＲＡＭ６６に確保されたカセット情報変数が初期化される。その後は、Ｓ１０２に進む。Ｓ１０２では、その他の電源ＯＮ時処理が行われる。
【００３１】
その後は、図１のＳ１２に進む。Ｓ１２では、カバー３が閉じているか否かが判断される。この判断処理は、カバーセンサ４２からの検出信号に基づいて行われる。ここで、カバー３が開いている場合（Ｓ１２：ＮＯ）には、後述するＳ１４に進む。これに対して、カバー３が閉じている場合（Ｓ１２：ＹＥＳ）には、Ｓ１３に進む。Ｓ１３では、カセット検出処理が行われる。
【００３２】
カセット検出処理では、図３に表されたように、先ず、Ｓ１１１において、ローラーホルダ３１の圧着が行われる。つまり、ローラーホルダ３１が正転動作される。このとき、カセット装着部６にテープカセット１１が装着されていれば、ローラーホルダ３１のプラテンローラ３３は、テープカセット１１の印刷テープ１５を介して、サーマルヘッド７に圧接され、同時に、ローラーホルダ３１のサイドセンサ３４は、テープカセット１１のカセット識別部１４に圧接され、当該テープカセット１１の種類を検出することが可能とされる。その後は、Ｓ１１２に進む。
【００３３】
Ｓ１１２では、カセットの検出が行われる。具体的には、このとき、カセット装着部６にテープカセット１１が装着されていれば、サイドセンサ３４を介して当該テープカセット１１の種類に関する情報が検出される。その後は、Ｓ１１３に進む。
【００３４】
Ｓ１１３では、その検出された情報がカセット情報変数に代入される。具体的には、上記Ｓ１１２でテープカセット１１の種類に関する情報が検出されていれば、その検出された情報がＲＡＭ６６のカセット情報変数に上書きで記憶される。その後は、Ｓ１１４に進む。
【００３５】
Ｓ１１４では、ローラーホルダ３１のリリースが行われる。つまり、ローラーホルダ３１が逆転動作される。このとき、カセット装着部６にテープカセット１１が装着されていれば、ローラーホルダ３１のプラテンローラ３３は、テープカセット１１の印刷テープ１５からリリースされるので、サーマルヘッド７に圧接されなくなり、同時に、ローラーホルダ３１のサイドセンサ３４は、テープカセット１１のカセット識別部１４からリリースされるので、当該テープカセット１１の種類を検出することが不可能とされる。
【００３６】
その後は、図１のＳ１４に進む。Ｓ１４では、カバー３が閉じられたか否かが判断される。この判断処理は、カバーセンサ４２からの検出信号に基づいて行われる。このとき、カバー３が閉じられた場合（Ｓ１４：ＹＥＳ）には、Ｓ１５に進む。
【００３７】
Ｓ１５では、カセット検出処理が行われる。このカセット検出処理は上記Ｓ１３のカセット検出処理と同じなので、その説明は省略する。その後は、上記Ｓ１４に戻って、上記Ｓ１４以降の処理が繰り返される。
【００３８】
一方、上記Ｓ１４において、カバー３が閉じられなかった場合（Ｓ１４：ＮＯ）には、Ｓ１６に進む。Ｓ１６では、印刷データが受信されたか否かが判断される。この判断では、接続インターフェース８１を介して不図示のパーソナルコンピューターからの印刷データが受信されたか否かが判断される。ここで、印刷データが受信されていない場合（Ｓ１６：ＮＯ）には、後述するＳ１７に進む。これに対して、印刷データが受信された場合（Ｓ１６：ＹＥＳ）には、Ｓ１６の２に進む。
【００３９】
Ｓ１６の２では、カバー３が閉じているか否かが判断される。この判断処理は、カバーセンサ４２からの検出信号に基づいて行われる。ここで、カバー３が開いている場合（Ｓ１６の２：ＮＯ）には、後述するＳ１７に進む。これに対して、カバー３が閉じている場合（Ｓ１６の２：ＹＥＳ）には、Ｓ１６の３に進む。
【００４０】
Ｓ１６の３では、印刷処理が行われる。印刷処理では、上記Ｓ１６で受信したと判断された印刷データが印刷テープ１５に印刷される。このとき、カセット装着部６にテープカセット１１が装着され、且つ、カバー３が閉じていれば、ローラーホルダ３１が正転動作されることにより、ローラーホルダ３１のプラテンローラ３３は、テープカセット１１の印刷テープ１５を介して、サーマルヘッド７に圧接される。印刷終了後は、ローラーホルダ３１が逆転動作されることにより、ローラーホルダ３１のプラテンローラ３３は、テープカセット１１の印刷テープ１５からリリースされるので、サーマルヘッド７に圧接されなくなる。その後は、Ｓ１７に進む。
【００４１】
Ｓ１７では、カセット情報の送信要求があるか否かが判断される。尚、この要求は、接続インターフェース８１を介して不図示のパーソナルコンピューターから行われる。ここで、カセット情報の送信要求がない場合（Ｓ１７：ＮＯ）には、上記Ｓ１４に戻って、上記Ｓ１４以降の処理が繰り返される。
【００４２】
これに対して、カセット情報の送信要求がある場合（Ｓ１７：ＹＥＳ）には、Ｓ１８に進む。Ｓ１８では、カセット情報送信処理が行われる。
【００４３】
カセット情報送信処理では、図４に表されたように、Ｓ１２１において、カセット情報変数の内容を返すことが行われる。具体的には、ＲＡＭ６６のカセット情報変数の内容が接続インターフェース８１を介して不図示のパーソナルコンピューターに送信される。尚、上記Ｓ１１２でカセットが検出されなかった場合には、カセット情報変数の内容として、「カセット無」の情報が接続インターフェース８１を介して不図示のパーソナルコンピューターに送信される。
【００４４】
その後は、上記Ｓ１４に戻って、上記Ｓ１４以降の処理が繰り返される。
【００４５】
このようにして第１メインプログラムが実行されると、カバー３が閉じられた時点において（Ｓ１４：ＹＥＳ）、又は、電源ＯＮ且つカバー３が閉じられている状態において（Ｓ１２：ＹＥＳ）、カセット検出処理（Ｓ１３、Ｓ１５）が行われることにより、ローラーホルダ３１の圧着が行われ（Ｓ１１１）、カセット１１の検出が行われ（Ｓ１１２）、その検出により取得されたテープカセット１１の種類に関する情報がＲＡＭ６６に記憶される（Ｓ１１３）。その後、ローラーホルダ３１のリリースが行われ（Ｓ１１４）、印刷待機状態にされる。そして、テープカセット１１の種類に関する情報が必要となった場合（Ｓ１７：ＹＥＳ）には、ＲＡＭ６６に記憶されている情報が使用される（Ｓ１２１）。
【００４６】
つまり、カバー３が閉じられた時点（Ｓ１４：ＹＥＳ）又はカバー３が閉じられている状態（Ｓ１２：ＹＥＳ）をカセット１１の交換時とみなせば、そのカセット１１の交換時及び電源ＯＮ時にカセット１１の検出が行われ（Ｓ１１２）、その後にローラーホルダ３１のリリースが行われる（Ｓ１１４）。さらに、テープカセット１１の種類に関する情報が必要となった場合（Ｓ１７：ＹＥＳ）には、ＲＡＭ６６に記憶されている情報が使用される（Ｓ１２１）。従って、ローラーホルダ３１の圧着（Ｓ１１１）を続けなくてもよいため、ローラーホルダ３１のプラテンローラ３３の変形を減らすことができる。
【００４７】
［３．本発明の第２動作］
次に、本実施形態に係るラベルライター１で実行される第２動作について説明する。図５のフローチャートで表された制御プログラムは、第２メインプログラムであって、ＲＯＭ６４等に記憶されるとともにＣＰＵ６１により実行される。
【００４８】
図５に表されたように、第２メインプログラムでは、先ず、Ｓ３１において、電源ＯＮ時処理が行われる。この電源ＯＮ時処理は上記第１動作の電源ＯＮ時処理（上記図１のＳ１１）と同じなので、その説明は省略する。その後は、Ｓ３２に進む。
【００４９】
Ｓ３２では、色情報検出処理が行われる。この処理では、カラーセンサ４１からの検出信号の取得が行われる。その後は、Ｓ３３に進む。
【００５０】
Ｓ３３では、色情報が不明ではないか否かが判断される。この判断処理では、上記Ｓ３２で取得された検出信号が色情報として扱われる。ここで、色情報が不明である場合（Ｓ３３：ＮＯ）には、後述するＳ３５に進む。これに対して、色情報が不明ではない場合（Ｓ３３：ＹＥＳ）には、Ｓ３４に進む。
【００５１】
Ｓ３４では、カセット検出処理が行われる。このカセット検出処理は上記第１動作のカセット検出処理（Ｓ１３、Ｓ１５）と同じなので、その説明は省略する。その後は、Ｓ３５に進む。
【００５２】
Ｓ３５では、カラーセンサ４１の状態が変化したか否かが判断される。この判断処理は、カラーセンサ４１から取得された検出信号に基づいて行われる。ここで、カラーセンサ４１の状態が変化した場合（Ｓ３５：ＹＥＳ）には、Ｓ３６に進む。
【００５３】
Ｓ３６では、色情報検出処理が行われる。この処理では、カラーセンサ４１からの検出信号の取得が行われる。その後は、Ｓ３７に進む。
【００５４】
Ｓ３７では、色情報が不明ではないか否かが判断される。この判断処理では、上記Ｓ３６で取得された検出信号が色情報として扱われる。ここで、色情報が不明である場合（Ｓ３７：ＮＯ）には、後述するＳ３９に進む。これに対して、色情報が不明ではない場合（Ｓ３７：ＹＥＳ）には、Ｓ３８に進む。
【００５５】
Ｓ３８では、カセット検出処理が行われる。このカセット検出処理は上記第１動作のカセット検出処理（Ｓ１３、Ｓ１５）と同じなので、その説明は省略する。その後は、上記Ｓ３５に戻って、上記Ｓ３５以降の処理が繰り返される。
【００５６】
一方、上記Ｓ３５において、カラーセンサ４１の状態が変化していない場合（Ｓ３５：ＮＯ）には、Ｓ３９に進む。Ｓ３９では、印刷データが受信されたか否かが判断される。この判断では、接続インターフェース８１を介して不図示のパーソナルコンピューターからの印刷データが受信されたか否かが判断される。ここで、印刷データが受信されていない場合（Ｓ３９：ＮＯ）には、後述するＳ４０に進む。これに対して、印刷データが受信された場合（Ｓ３９：ＹＥＳ）には、Ｓ３９の２に進む。
【００５７】
Ｓ３９の２では、色情報が不明ではないか否かが判断される。この判断処理では、上記Ｓ３２又は上記Ｓ３６で取得された検出信号が色情報として扱われる。ここで、色情報が不明である場合（Ｓ３９の２：ＮＯ）には、後述するＳ４０に進む。これに対して、色情報が不明ではない場合（Ｓ３９の２：ＹＥＳ）には、Ｓ３９の３に進む。
【００５８】
Ｓ３９の３では、印刷処理が行われる。印刷処理では、上記Ｓ３９で受信したと判断された印刷データが印刷テープ１５に印刷される。このとき、カセット装着部６にテープカセット１１が装着され、且つ、色情報が不明でなければ、ローラーホルダ３１が正転動作されることにより、ローラーホルダ３１のプラテンローラ３３は、テープカセット１１の印刷テープ１５を介して、サーマルヘッド７に圧接される。印刷終了後は、ローラーホルダ３１が逆転動作されることにより、ローラーホルダ３１のプラテンローラ３３は、テープカセット１１の印刷テープ１５からリリースされるので、サーマルヘッド７に圧接されなくなる。その後は、Ｓ４０に進む。
【００５９】
Ｓ４０では、カセット情報の送信要求があるか否かが判断される。尚、この要求は、接続インターフェース８１を介して不図示のパーソナルコンピューターから行われる。ここで、カセット情報の送信要求がない場合（Ｓ４０：ＮＯ）には、上記Ｓ３５に戻って、上記Ｓ３５以降の処理が繰り返される。
【００６０】
これに対して、カセット情報の送信要求がある場合（Ｓ４０：ＹＥＳ）には、Ｓ４１に進む。
【００６１】
Ｓ４１では、カセット情報送信処理が行われる。このカセット情報送信処理は上記第１動作のカセット情報送信処理（Ｓ１８）と同じなので、その説明は省略する。
【００６２】
その後は、上記Ｓ３５に戻って、上記Ｓ３５以降の処理が繰り返される。
【００６３】
このようにして第２メインプログラムが実行されると、カラーセンサ４１の状態が変化し（Ｓ３５：ＹＥＳ）、且つ、色情報が不明ではない場合（Ｓ３７：ＹＥＳ）に、又は、電源ＯＮ且つ色情報が不明ではない場合（Ｓ３３：ＹＥＳ）に、カセット検出処理（Ｓ３４、Ｓ３８）が行われる。
【００６４】
つまり、カラーセンサ４１の状態が変化した場合（Ｓ３５：ＹＥＳ）をカセット１１の交換時とみなせば、そのカセット１１の交換時をカラーセンサ４１から取得した検出信号（Ｓ３２、Ｓ３６）に基づいて検知することができるので、カバーセンサ４２を使用することなく、そのカセット１１の交換時にカセット検出処理（Ｓ３４、Ｓ３８）を行わせることができる。
【００６５】
さらに、色情報が不明である場合（Ｓ３３：ＮＯ、Ｓ３７：ＮＯ）は、カセット装着部６にテープカセット１１が装着されていない場合とみなすことができる。すなわち、色情報が不明である場合（Ｓ３３：ＮＯ、Ｓ３７：ＮＯ）、つまり、カセット装着部６にテープカセット１１が装着されていない場合には、カセット検出処理（Ｓ３４、Ｓ３８）が行われず、ローラーホルダ３１が動作されることはないので、ローラーホルダ３１のプラテンローラ３３が変形する機会を与えないことができる。
【００６６】
［４．本発明の第３動作］
次に、本実施形態に係るラベルライター１で実行される第３動作について説明する。図６のフローチャートで表された制御プログラムは、第３メインプログラムであって、ＲＯＭ６４等に記憶されるとともにＣＰＵ６１により実行される。
【００６７】
図６に表されたように、第３メインプログラムでは、先ず、Ｓ６１において、電源ＯＮ時処理が行われる。この電源ＯＮ時処理は上記第１動作の電源ＯＮ時処理（上記図１のＳ１１）と同じなので、その説明は省略する。その後は、Ｓ６２に進む。
【００６８】
Ｓ６２では、カバー３が閉じているか否かが判断される。この判断処理は、カバーセンサ４２からの検出信号に基づいて行われる。ここで、カバー３が開いている場合（Ｓ６２：ＮＯ）には、後述するＳ６６に進む。これに対して、カバー３が閉じている場合（Ｓ６２：ＹＥＳ）には、Ｓ６３に進む。
【００６９】
Ｓ６３では、色情報検出処理が行われる。この処理では、カラーセンサ４１からの検出信号の取得が行われる。その後は、Ｓ６４に進む。
【００７０】
Ｓ６４では、色情報が不明ではないか否かが判断される。この判断処理では、上記Ｓ６３で取得された検出信号が色情報として扱われる。ここで、色情報が不明である場合（Ｓ６４：ＮＯ）には、後述するＳ６６に進む。これに対して、色情報が不明ではない場合（Ｓ６４：ＹＥＳ）には、Ｓ６５に進む。
【００７１】
Ｓ６５では、カセット検出処理が行われる。このカセット検出処理は上記第１動作のカセット検出処理（Ｓ１３、Ｓ１５）と同じなので、その説明は省略する。その後は、Ｓ６６に進む。
【００７２】
Ｓ６６では、カバー３が閉じられたか否かが判断される。この判断処理は、カバーセンサ４２からの検出信号に基づいて行われる。このとき、カバー３が閉じられた場合（Ｓ６６：ＹＥＳ）には、Ｓ６７に進む。
【００７３】
Ｓ６７では、色情報検出処理が行われる。この処理では、カラーセンサ４１からの検出信号の取得が行われる。その後は、Ｓ６８に進む。
【００７４】
Ｓ６８では、色情報が不明ではないか否かが判断される。この判断処理では、上記Ｓ６７で取得された検出信号が色情報として扱われる。ここで、色情報が不明である場合（Ｓ６８：ＮＯ）には、後述するＳ７０に進む。これに対して、色情報が不明ではない場合（Ｓ６８：ＹＥＳ）には、Ｓ６９に進む。
【００７５】
Ｓ６９では、カセット検出処理が行われる。このカセット検出処理は上記第１動作のカセット検出処理（Ｓ１３、Ｓ１５）と同じなので、その説明は省略する。その後は、上記Ｓ６６に戻って、上記Ｓ６６以降の処理が繰り返される。
【００７６】
一方、上記Ｓ６６において、カバー３が閉じられなかった場合（Ｓ６６：ＮＯ）には、Ｓ７０に進む。Ｓ７０では、印刷データが受信されたか否かが判断される。この判断では、接続インターフェース８１を介して不図示のパーソナルコンピューターからの印刷データが受信されたか否かが判断される。ここで、印刷データが受信されていない場合（Ｓ７０：ＮＯ）には、後述するＳ７１に進む。これに対して、印刷データが受信された場合（Ｓ７０：ＹＥＳ）には、Ｓ７０の２に進む。
【００７７】
Ｓ７０の２では、カバー３が閉じられており、且つ、色情報が不明ではないか否かが判断される。この判断処理は、カバーセンサ４２からの検出信号に基づいて行われる。さらに、この判断処理では、上記Ｓ６３又は上記Ｓ６７で取得された検出信号が色情報として扱われる。ここで、カバー３が開いている場合、又は、色情報が不明である場合（Ｓ７０の２：ＮＯ）には、後述するＳ７１に進む。これに対して、カバー３が閉じられており、且つ、色情報が不明ではない場合（Ｓ７０の２：ＹＥＳ）には、Ｓ７０の３に進む。
【００７８】
Ｓ７０の３では、印刷処理が行われる。印刷処理では、上記Ｓ７０で受信したと判断された印刷データが印刷テープ１５に印刷される。このとき、カセット装着部６にテープカセット１１が装着され、且つ、カバー３が閉じられており、且つ、色情報が不明でなければ、ローラーホルダ３１が正転動作されることにより、ローラーホルダ３１のプラテンローラ３３は、テープカセット１１の印刷テープ１５を介して、サーマルヘッド７に圧接される。印刷終了後は、ローラーホルダ３１が逆転動作されることにより、ローラーホルダ３１のプラテンローラ３３は、テープカセット１１の印刷テープ１５からリリースされるので、サーマルヘッド７に圧接されなくなる。その後は、Ｓ７１に進む。
【００７９】
Ｓ７１では、カセット情報の送信要求があるか否かが判断される。尚、この要求は、接続インターフェース８１を介して不図示のパーソナルコンピューターから行われる。ここで、カセット情報の送信要求がない場合（Ｓ７１：ＮＯ）には、上記Ｓ６６に戻って、上記Ｓ６６以降の処理が繰り返される。
【００８０】
これに対して、カセット情報の送信要求がある場合（Ｓ７１：ＹＥＳ）には、Ｓ７２に進む。
【００８１】
Ｓ７２では、カセット情報送信処理が行われる。このカセット情報送信処理は上記第１動作のカセット情報送信処理（Ｓ１８）と同じなので、その説明は省略する。
【００８２】
その後は、上記Ｓ６６に戻って、上記Ｓ６６以降の処理が繰り返される。
【００８３】
このようにして第３メインプログラムが実行されると、カバー３が閉じられ（Ｓ６６：ＹＥＳ）、且つ、色情報が不明ではない場合（Ｓ６８：ＹＥＳ）に、又は、電源ＯＮ時且つカバー３が閉じられ（Ｓ６２：ＹＥＳ）且つ色情報が不明ではない場合（Ｓ６４：ＹＥＳ）に、カセット検出処理（Ｓ６５、Ｓ６９）が行われる。
【００８４】
この点、カバー３が閉じられた場合（Ｓ６６：ＹＥＳ）をカセット１１の交換時とみなせば、そのカセット１１の交換時をカバーセンサ４２から取得した検出信号に基づいて検知することができるので、そのカセット１１の交換時にカセット検出処理（Ｓ６５、Ｓ６９）を行わせることができる。
【００８５】
また、色情報が不明である場合（Ｓ６４：ＮＯ、Ｓ６８：ＮＯ）は、カセット装着部６にテープカセット１１が装着されていない場合とみなすことができる。すなわち、色情報が不明である場合（Ｓ６４：ＮＯ、Ｓ６８：ＮＯ）、つまり、カセット装着部６にテープカセット１１が装着されていない場合には、カセット検出処理（Ｓ６５、Ｓ６９）が行われず、ローラーホルダ３１が動作されることはないので、ローラーホルダ３１のプラテンローラ３３が変形する機会を与えないことができる。
【００８６】
さらに、カバー３が開いている状態では（Ｓ６２：ＮＯ、Ｓ６６：ＮＯ）、カセット検出処理（Ｓ６５、Ｓ６９）が行われない。よって、カセット検出処理（Ｓ６５、Ｓ６９）が行われる際は、カバー３が閉じられている状態にあるので（Ｓ６２：ＹＥＳ、Ｓ６６：ＹＥＳ）、カセット検出処理（Ｓ６５、Ｓ６９）が行われている最中にユーザーがカセット１１に触れるおそれを低減させることができる。
【００８７】
［５．まとめ］
すなわち、本実施の形態に係るテープ印刷装置１では、プラテンローラ３３とサイドセンサ３４が設けられたローラーホルダ３１がテープカセット１１に圧着された際に、サイドセンサ３４によってテープカセット１１の種類が検出可能となるものである（Ｓ１１２）。
【００８８】
そして、図１の第１動作、図５の第２動作、又は図６の第３動作が行われる場合において、サーマルヘッド７で印刷を行う際（Ｓ１６の３、Ｓ３９の３、Ｓ７０の３）には、カセット検出処理（Ｓ１３、Ｓ１５、Ｓ３４、Ｓ３８、Ｓ６５、Ｓ６９）が行われる。このカセット検出処理（Ｓ１３、Ｓ１５、Ｓ３４、Ｓ３８、Ｓ６５、Ｓ６９）では、カセット装着部６に装着されたテープカセット１１に対してローラーホルダ３１を圧着させた状態にし（Ｓ１１１）、そのテープカセット１１の種類をサイドセンサ３４によって検出した後で（Ｓ１１２、Ｓ１１３）、カセット装着部６に装着されたテープカセット１１に対してローラーホルダ３１をリリースさせた状態にして（Ｓ１１４）、印刷待機状態にしており、ローラーホルダ３１に設けられたプラテンローラ３３がサーマルヘッド７に対してずっと圧接されることはないので、プラテンローラ７の変形を低減させることができる。
【００８９】
また、本実施の形態に係る印刷装置１では、ＣＰＵ６１は、図１の第１動作、図５の第２動作、又は図６の第３動作を行う場合において、サーマルヘッド７で印刷を行う場合（Ｓ１６の３、Ｓ３９の３、Ｓ７０の３）以外でも、カセット検出処理（Ｓ１３、Ｓ１５、Ｓ３４、Ｓ３８、Ｓ６５、Ｓ６９）が行われる。このカセット検出処理（Ｓ１３、Ｓ１５、Ｓ３４、Ｓ３８、Ｓ６５、Ｓ６９）では、カセット装着部６に装着されたテープカセット１１に対してローラーホルダ３１を圧着させた状態にし（Ｓ１１１）、そのテープカセット１１の種類をサイドセンサ３４によって検出した後で（Ｓ１１２、Ｓ１１３）、カセット装着部６に装着されたテープカセット１１に対してローラーホルダ３１をリリースさせた状態にしており（Ｓ１１４）、例えば、サーマルヘッド７で印刷を行う場合（Ｓ１６の３、Ｓ３９の３、Ｓ７０の３）以外において、テープカセット１１の交換がなされても（Ｓ１２：ＹＥＳ、Ｓ１４：ＹＥＳ、Ｓ３３：ＹＥＳ、Ｓ３７：ＹＥＳ、Ｓ６４：ＹＥＳ、Ｓ６８：ＹＥＳ）、カセット検出処理（Ｓ１３、Ｓ１５、Ｓ３４、Ｓ３８、Ｓ６５、Ｓ６９）が行われることより、サイドセンサ３４によってテープカセット１１の種類を検出することが可能とされる。
【００９０】
また、本実施の形態に係る印刷装置１では、ＣＰＵ６１は、図１の第１動作又は図６の第３動作を行う場合において、サーマルヘッド７で印刷を行う場合（Ｓ１６の３、Ｓ７０の３）以外でも、つまり、カバーセンサ４２でカバー３が閉状態にあることを検知したとき（Ｓ１２：ＹＥＳ、Ｓ１４：ＹＥＳ、Ｓ６２：ＹＥＳ、Ｓ６６：ＹＥＳ）、又は、当該テープ印刷装置１の電源がＯＮされたときに（Ｓ１１、Ｓ６１）、カセット検出処理（Ｓ１３、Ｓ１５、Ｓ６５、Ｓ６９）が行われる。このカセット検出処理（Ｓ１３、Ｓ１５、Ｓ６５、Ｓ６９）では、カセット装着部６に装着されたテープカセット１１に対してローラーホルダ３１を圧着させた状態にし（Ｓ１１１）、そのテープカセット１１の種類をサイドセンサ３４によって検出した後で（Ｓ１１２、Ｓ１１３）、カセット装着部６に装着されたテープカセット１１に対してローラーホルダ３１をリリースさせた状態にしており（Ｓ１１４）、例えば、サーマルヘッド７で印刷を行う場合（Ｓ１６の３、Ｓ７０の３）以外において、テープカセット１１の種類を取得したい機会（Ｓ１２：ＹＥＳ、Ｓ１４：ＹＥＳ、Ｓ６２：ＹＥＳ、Ｓ６６：ＹＥＳ）が到来しても、カセット検出処理（Ｓ１３、Ｓ１５、Ｓ６５、Ｓ６９）が行われることにより対応でき、サイドセンサ３４によってテープカセット１１の種類を検出することが可能とされる。
【００９１】
［６．その他］
尚、本発明は上記実施形態に限定されるものでなく、その趣旨を逸脱しない範囲で様々な変更が可能である。
【符号の説明】
【００９２】
１  テープ印刷装置
３  カバー
６  カセット装着部
７  サーマルヘッド
１１  テープカセット
１５  印刷テープ
３１  ローラーホルダ
３３  プラテンローラ
３４  サイドセンサ
４２  カバーセンサ
６１  ＣＰＵ
【図１】
2012196781.tif 000003
【図２】
2012196781.tif 000004
【図３】
2012196781.tif 000005
【図４】
2012196781.tif 000006
【図５】
2012196781.tif 000007
【図６】
2012196781.tif 000008
【図７】
2012196781.tif 000009
【図８】
2012196781.tif 000010
【図９】
2012196781.tif 000011
【図１０】
2012196781.tif 000012